(57)【要約】      （修正有）【課題】基盤表面から突出した筒状体を有しかつ成型後にスタンパから容易に取り出すことが可能であるとともに、鮮明な像を結像できる２面コーナーリフレクタアレイ光学素子の製造方法を提供する。【解決手段】透明材料で成型された基盤６０とその表面内の接合平面から突出した複数の筒状体５１とからなり、筒状体５１の各々は、２面コーナーリフレクタ６１として２つの直交する側面６１ａ、６１ｂと２面コーナーリフレクタ以外の側面６２ａ、６２ｂがテーパー平面である切頭角錐台形状を有し、筒状体の各々の先端側面積が基盤側面積より小となるようにした金型を用意して型締する工程と、金型の温度を所定温度以上に保持しつつ溶融樹脂を金型内に充填する工程と、樹脂充填後に金型の温度を所定温度以下に冷却する工程と、樹脂冷却後に得られた２面コーナーリフレクタアレイ光学素子を離型する工程とを含む射出成型方法。【選択図】図２
2012045871.tif 000002
【特許請求の範囲】
【請求項１】
透明材料で一体的に成型された基盤とその表面内の接合平面から突出した複数の筒状体とからなり、前記筒状体の各々には２面コーナーリフレクタとして２つの直交する側面が形成され、前記基盤の接合平面側にある被観察物の実像を前記筒状体の端面側の空間に結像させる２面コーナーリフレクタアレイ光学素子の製造方法であって、
前記筒状体の各々は、前記２面コーナーリフレクタとした前記側面を含む立方体形状部と前記立方体形状部と一体となった前記２面コーナーリフレクタ以外の側面を平面として含むテーパー部とからなる切頭角錐台形状を有し、前記筒状体の各々の端面の面積が前記基盤側との接合部の面積より小となるように、前記筒状体のテーパー構造を画定した金型を用意して型締する工程と、
前記金型の温度を所定の温度以上に保持しつつ溶融樹脂を前記金型内に充填する工程と、
樹脂充填後に前記金型の温度を所定の温度以下に冷却する工程と、
樹脂冷却後に、得られた２面コーナーリフレクタアレイ光学素子を離型する工程と、を含むことを特徴とする２面コーナーリフレクタアレイ光学素子の製造方法。
【請求項２】
前記所定の温度としては成型に使用する樹脂の軟化点温度であることを特徴とする請求項１に記載の２面コーナーリフレクタアレイ光学素子の製造方法。
【請求項３】
前記２面コーナーリフレクタとして機能する前記筒状体の側面に金属反射膜をさらに付ける工程と、を含むことを特徴とする請求項１または２に記載の２面コーナーリフレクタアレイ光学素子の製造方法。
【請求項４】
前記基盤の法線からの前記２面コーナーリフレクタ以外の側面の傾斜角度が、５度以上、２５度以下であることを特徴とする請求項１乃至３の何れか１に記載の２面コーナーリフレクタアレイ光学素子の製造方法。
【請求項５】
請求項１乃至請求項４の何れか１項に記載の２面コーナーリフレクタアレイ光学素子の製造方法により透明材料で一体的に成型された、基盤とその表面内の接合平面から突出した複数の筒状体とからなり、前記筒状体の各々には２面コーナーリフレクタとして２つの直交する側面が形成され、前記基盤の接合平面側にある被観察物の実像を前記筒状体の端面側の空間に結像させる２面コーナーリフレクタアレイ光学素子であって、
前記筒状体の各々は、前記２面コーナーリフレクタとした前記側面を含む立方体形状部と前記立方体形状部と一体となった前記２面コーナーリフレクタ以外の側面を平面として含むテーパー部とからなる切頭角錐台形状を有し、前記筒状体の各々の端面の面積が前記基盤側との接合部の面積より小であることを特徴とする２面コーナーリフレクタアレイ光学素子。
【請求項６】
請求項５に記載の２面コーナーリフレクタアレイ光学素子と前記基盤の一方の主面側にある被観察物とを含み、前記被観察物の実像を前記基盤の他方側の空間に結像させることを特徴とする表示装置。
【発明の詳細な説明】
【技術分野】
【０００１】
本発明は、被観察物の実像（実鏡映像）を観察者側の空間に結像させる反射型実鏡映像結像光学素子に関し、特に、２面コーナーリフレクタアレイ光学素子およびその製造方法並びにそれを用いた表示装置に関する。
【背景技術】
【０００２】
反射型実鏡映像結像光学素子を利用して、空中に被観察物の実像（実鏡映像）を結像させて、それを観察者が見ることができるようにした表示装置が提案されている（特許文献１、参照）。
【０００３】
具体的には、かかる表示装置は、被観察物の実像（実鏡映像）を観察者側の空間に結像させる反射型実鏡映像結像光学素子と、当該反射型実鏡映像結像光学素子の該観察者側とは反対側の空間に配置される該実鏡映像を形成するための被観察物と、を備えたものである。
【０００４】
特許文献１には、互いに直交する２つの鏡面からなる単位光学素子（２面コーナーリフレクタと称する）の複数を、１つの平面を構成する素子面にアレイ状にすなわち整列配置した反射型実鏡映像結像光学素子（２面コーナーリフレクタアレイ光学素子と称する）が開示されている。２面コーナーリフレクタアレイ光学素子の具体例として、特許文献１においては、素子面を貫通する方向に穿孔された正方形穴の内壁を２面コーナーリフレクタとして利用するものや、図１に示すように、透明材料からなる基盤６０の表面からその厚さ方向に垂直に突出した透明な立方体形状筒状体５の内壁を２面コーナーリフレクタ６１として利用し該筒状体を碁盤目状に複数を形成した２面コーナーリフレクタアレイ光学素子が示されている。
【０００５】
２面コーナーリフレクタアレイ光学素子においては、複数の整列された２面コーナーリフレクタの各鏡面が素子面にほぼ垂直に直立配置されているので、該素子面の一方側に配置した被投影物からの光は、該素子面を通過する際に２面コーナーリフレクタに２回反射して、被投影物のない該素子面の他方側の空間に実像として結像する。すなわち、２面コーナーリフレクタアレイ光学素子は、被観察物が２面コーナーリフレクタアレイ光学素子の素子面（対称面とも称する）に対して対称位置に存在するように、その実像を結像させることができる。
【先行技術文献】
【特許文献】
【０００６】
【特許文献１】ＷＯ２００７−１１６６３９号公報
【発明の概要】
【発明が解決しようとする課題】
【０００７】
従来の立方体形状筒状体５の側壁を２面コーナーリフレクタとして利用した２面コーナーリフレクタアレイ光学素子の製造においては、樹脂による射出成型法を利用することができる。かかる射出成型法では、図１に示すような複数の筒状体の反転形状を備えたスタンパ（金型）を使用して、金型キャビティに溶融樹脂を充填して、成型された２面コーナーリフレクタアレイ光学素子を離型する。しかし、当該光学素子の複数の筒状体のスタンパへの食い付きにより当該光学素子がスタンパ側に貼り付いてしまう問題があった。さらに、無理に剥がした場合、スタンパから剥がした２面コーナーリフレクタアレイ光学素子が歪んで、当該光学素子により結像される像がぼやけたり、ひどい場合には結像ができない（観察できない）という問題があった。
【０００８】
そこで、本発明は、基盤表面から突出した筒状体を有しかつ成型後にスタンパから容易に取り出すことが可能であるとともに、鮮明な像を結像できる２面コーナーリフレクタアレイ光学素子およびその製造方法並びに２面コーナーリフレクタアレイ光学素子を用いた表示装置を提供することを目的とする。
【課題を解決するための手段】
【０００９】
発明者は、基盤表面から突出した筒状体の側壁（内壁面）を２面コーナーリフレクタとして利用する２面コーナーリフレクタアレイ光学素子に関して、アクリル等の透明樹脂の射出成型方法において、２面コーナーリフレクタを形成する２面の形状を如何に精度良く製造するかに着目し、鋭意研究を行った結果、２面コーナーリフレクタの面精度とともに当該２面と天面（端面）で形成される筒状体の頂点部分（エッジ部分）の形状が大きく結像性能に関係することを知見した。射出成型により作製した２面コーナーリフレクタアレイ光学素子の各筒状体の該頂点部分の転写性が悪く尖がり具合が不足すると、２面コーナーリフレクタアレイ光学素子により結像される像がぼやける場合があり、ひどい場合には像ができない（観察できない）ということが判明し、その問題を克服することにより、本発明に到達した。本発明は、前記２面コーナーリフレクタアレイ光学素子の各筒状体の頂点部分の形状が悪い（尖がり不足）ために起きる結像性能の低下を解決するため、成型時の転写性を向上し各筒状体頂点部分の形状をより適したものにすることを主要観点としている。
【００１０】
本発明の製造方法は、透明材料で一体的に成型された基盤とその表面内の接合平面から突出した複数の筒状体とからなり、前記筒状体の各々には２面コーナーリフレクタとして２つの直交する側面が形成され、前記基盤の接合平面側にある被観察物の実像を前記筒状体の端面側の空間に結像させる２面コーナーリフレクタアレイ光学素子の製造方法であって、前記筒状体の各々は、前記２面コーナーリフレクタとした前記側面を含む立方体形状部と前記立方体形状部と一体となった前記２面コーナーリフレクタ以外の側面を平面として含むテーパー部とからなる切頭角錐台形状を有し、前記筒状体の各々の端面の面積が前記基盤側との接合部の面積より小となるように、前記筒状体のテーパー構造を画定した金型を用意して型締する工程と、前記金型の温度を所定の温度以上に保持しつつ溶融樹脂を前記金型内に充填する工程と、樹脂充填後に前記金型の温度を所定の温度以下に冷却する工程と、樹脂冷却後に、得られた２面コーナーリフレクタアレイ光学素子を離型する工程との射出成型方法を含むことを特徴とする。
【００１１】
筒状体のテーパー構造として、傾斜（いわゆる「抜きテーパー」）を筒状体に付けることにより、課題であるスタンパ（金型）からの２面コーナーリフレクタアレイ光学素子の取り外しを容易にすることができる。この時の、傾斜方向は該筒状体の基盤側の底面（接合平面）より、基盤側とは反対側の端面（天面）の方が小さくなるような傾斜方向である。
【００１２】
かかる光学素子の製造方法において、溶融樹脂を金型内に充填する時には金型の温度を所定の温度以上にし、樹脂充填後に前記金型の温度を所定の温度以下に冷やした後に、成型された後の２面コーナーリフレクタアレイ光学素子を金型から外しているので上記課題を解決している。この方法により作製すると成型時の転写性が向上した２面コーナーリフレクタアレイ光学素子を得ることができる。
【００１３】
前記所定の温度としては成型に使用する樹脂の軟化点温度が適している。上記射出成型方法により作製した２面コーナーリフレクタアレイ光学素子の前記２面コーナーリフレクタとして機能する前記筒状体の側面に金属反射膜をさらに付けることが好ましい。前記２面の反射率が向上するからである。
【００１４】
テーパー部の傾斜角度（基盤に垂直な面からの角度）はスタンパからの光学素子の取り外しを考えると大きい方が良いが、大き過ぎると２面コーナーリフレクタで反射した光の出射面である筒状体端面の面積が小さくなることにより、被観察物の実像（実鏡映像）が暗くなってしまう。また、上記端面面積を確保した場合には上記筒状体の底面の面積が大きくなり単位面積当りの２面コーナーリフレクタ数が減少してしまうためやはり被観察物の実像（実鏡映像）が暗くなってしまう。
【００１５】
これら相反する現象に対して様々な傾斜角度のスタンパを用いて成型実験を行った結果、上記傾斜角度（基盤に垂直な面からの角度）は、５度以上、２５度以下にすることが好適であることが分かった。
【００１６】
筒状体の場合、２面コーナーリフレクタを形成する２面以外の側面（端面と底面除く）は２面存在することになり、その両面に上記傾斜を付けることになるが、それら両面の傾斜角度は等しくても良いし、等しくなくても良い。ただし電鋳加工等の反転工法で金型を作製する場合にはそれら両面の角度が等しい方が切削工具（バイト）を１種類だけ作製すれば良いので都合が良い。
【００１７】
また、本発明の上記製造方法により透明材料で一体的に成型された、基盤とその表面内の接合平面から突出した複数の筒状体とからなり、前記筒状体の各々には２面コーナーリフレクタとして２つの直交する側面が形成され、前記基盤の接合平面側にある被観察物の実像を前記筒状体の端面側の空間に結像させる２面コーナーリフレクタアレイ光学素子は、前記筒状体の各々は、前記２面コーナーリフレクタとした前記側面を含む立方体形状部と前記立方体形状部と一体となった前記２面コーナーリフレクタ以外の側面を平面として含むテーパー部とからなる切頭角錐台形状を有し、前記筒状体の各々の端面の面積が前記基盤側との接合部の面積より小であることを特徴とする。
【００１８】
さらにまた、本発明の上記製造方法で作製した２面コーナーリフレクタ光学素子を用いて、前記基盤の一方の主面側に被観察物を配置すれば、前記被観察物の実像を前記基盤の他方の空間に結像させることができる表示装置が実現できる。
【発明の効果】
【００１９】
本発明によれば、２面コーナーリフレクタを形成する２面以外の側面に傾斜を付けたことにより、成型後にスタンパと２面コーナーリフレクタアレイ光学素子との間に空間を作りながら取り出すことになるため、スタンパ（金型）と２面コーナーリフレクタアレイ光学素子の接触面間で生じる摩擦力は小さくなる。これにより、スタンパから２面コーナーリフレクタアレイ光学素子を容易に取り出すことができる。さらに副次的な効果として、前記切頭角錐台形状の筒状体により、観察者側への多重反射の透過光を減少させることができる。
【図面の簡単な説明】
【００２０】
【図１】従来の立方体形状筒状体を有する２面コーナーリフレクタアレイ光学素子の具体的構成例を模式的に示す概略部分切欠斜視図である。
【図２】本発明による実施形態の２面コーナーリフレクタアレイ光学素子の具体的構成例を模式的に示す概略部分切欠斜視図である。
【図３】図２のＡ−ＡおよびＢ−Ｂ断面における断面図である。
【図４】本発明による実施形態の２面コーナーリフレクタアレイ光学素子の筒状体を模式的に示す斜視図である。
【図５】本発明による実施形態の２面コーナーリフレクタアレイ光学素子を射出成型法により作製する場合の手順を説明するための金型の概略断面図である。
【図６】本発明による実施形態の２面コーナーリフレクタアレイ光学素子を射出成型法により作製する場合の金型の温度制御を説明するための金型の概略断面図である。
【図７】本発明による他の実施形態の２面コーナーリフレクタアレイ光学素子を射出成型法により作製する場合の金型の概略断面図である。
【図８】本発明による他の実施形態の２面コーナーリフレクタアレイ光学素子を射出成型法により作製する場合の金型の概略断面図である。
【図９】本発明による他の実施形態の２面コーナーリフレクタアレイ光学素子を射出成型法により作製する場合の金型の概略断面図である。
【図１０】本発明による実施形態の２面コーナーリフレクタアレイ光学素子を作製するためのスタンパ作製時に使用するダイヤバイトの形状を説明するための概略断面図である。
【図１１】図１０のＡ−Ａ断面における部分拡大断面図である。
【図１２】電鋳反転加工で得られた本発明による実施形態で使用するスタンパの部分拡大断面図である。
【図１３】本発明による実施形態の方法で製造された２面コーナーリフレクタアレイ光学素子の正面からの拡大写真像である。
【図１４】比較例の２面コーナーリフレクタアレイ光学素子を射出成型法により作製する場合の手順の説明するための金型の概略断面図である。
【図１５】比較例の方法で製造された２面コーナーリフレクタアレイ光学素子の正面からの拡大写真像である。
【図１６】同実施形態の表示装置に適用される２面コーナーリフレクタアレイ光学素子を模式的に示す概略平面図および部分切欠斜視図である。
【図１７】本発明による実施形態の表示装置に適用される２面コーナーリフレクタアレイ光学素子の結像様式を模式的に示す概略斜視図である。
【図１８】本発明による実施形態の表示装置に適用される２面コーナーリフレクタアレイ光学素子による結像様式を模式的に示す概略平面図である。
【図１９】本発明による実施形態の表示装置に適用される２面コーナーリフレクタアレイ光学素子による結像様式を模式的に示す概略側面図である。
【発明を実施するための形態】
【００２１】
以下に、本発明による実施形態の２面コーナーリフレクタアレイ光学素子やその製造方法および２面コーナーリフレクタアレイ光学素子を用いた表示装置について、図面を用いて説明する。
【００２２】
図２に、本発明が適用された、立方体の突出した筒状体５１を有する２面コーナーリフレクタアレイ光学素子６６の実施形態の拡大部分斜視図を示す。また、図３（ａ）（ｂ）に図１のＡ−ＡおよびＢ−Ｂ断面における拡大部分断面図を示す。
【００２３】
本実施形態の２面コーナーリフレクタアレイ光学素子６６は、透明材料で一体的に成型された平板状の基盤６０とその表面内の接合平面から突出した筒状体５１の複数とからなる。筒状体の各々には２面コーナーリフレクタ６１として２つの直交する側面（鏡面６１ａ、６１ｂ）が形成され、２面コーナーリフレクタを形成する端面と底面除く２鏡面以外の側面６２ａ（図１では立方体の奥側で見えていない面）、６２ｂが基盤６０主面の法線から一定の角度（傾斜）を持っている。図３には筒状体５１の寸法Ｈ、Ｌ、Ｄおよび角度θが記載してあるが、これらの値は、高さＨ＝１７０μｍ、正方形一辺Ｌ＝１５０μｍ、間隔Ｄ＝１０μｍ、テーパー角度θ＝１０８°であるが、これらは代表値であり、これに限定されるものではない。
【００２４】
図４に示すように、筒状体５１の２面コーナーリフレクタ以外の側面６２ａ、６２ｂは、筒状体の基盤側の基盤との接合平面５２の面積より筒状体の基盤側とは反対側の端面５３の面積の方が小となるように、筒状体５１のテーパー構造を画定する。２面コーナーリフレクタ以外の側面６２ａ、６２ｂはテーパー面となる。テーパー面の傾斜角度φ（基盤に垂直な面からの角度）は、５度以上、２５度以下に設定することが好適である。テーパー面の傾斜角度が５度未満または２５度を超えると、離型が難しくなり、又は、筒状体密度が下がり結像のための光量が減る。
【００２５】
具体的に、筒状体５１は、図４に示すように、切頭角錐台であって、２面コーナーリフレクタとした側面６１ａ、６１ｂを含む立方体形状部Ｃと立方体形状部Ｃと一体となった２面コーナーリフレクタ以外の側面６２ａ、６２ｂを平面として含むテーパー部Ｔとからなる。
【００２６】
２面コーナーリフレクタアレイ光学素子は基盤および切頭角錐台形状の筒状体が樹脂成型法により作製できるので、その一例を説明する。
【００２７】
図２に示すような複数の切頭角錐台形状筒状体のアレイの反転形状を備えたスタンパ（金型）を予め作成しておく。
【００２８】
まず、図５（ａ）に示すように、かかる所定のスタンパ１０１と平坦な金型１０２を密着させた状態で、樹脂の軟化温度以上（アクリル樹脂を使用する場合は例えば２００℃、軟化温度は１００℃）に加熱して温度を保持しておく。本実施形態で使用するスタンパ１０１にはスタンパ加熱用のヒーターＳＨとスタンパ冷却用の冷却装置ＳＣが、金型１０２には金型加熱用のヒーターＭＨと金型冷却用の冷却装置ＭＣがそれぞれ内蔵されている。冷却装置ＳＣ、ＭＣは例えば水冷式の場合は循環器に接続された水管であり、ヒーターＳＨ、ＭＨは例えば抵抗加熱器である。
【００２９】
次に、図５（ｂ）に示すように、金型ゲート部１０３より溶融した樹脂１０４を金型１０２内に高圧にて充填する。この時、スタンパ１０１と金型１０２はヒーターにより１２０℃（アクリル樹脂の軟化温度以上に）に加熱して温度を保持しておく。かかる温度保持は、ヒーターＳＨ、ＭＨと冷却装置ＳＣ、ＭＣの制御により行う。
【００３０】
次に、図５（ｃ）に示すように、樹脂１０４の充填終了後にスタンパ１０１と金型１０２を密着させたまま樹脂１０４の軟化温度以下（アクリル樹脂を使用する場合は例えば８０℃）まで冷却する。かかる冷却制御もヒーターＳＨ、ＭＨと冷却装置ＳＣ、ＭＣの制御により行う。
【００３１】
次に、図５（ｄ）に示すように、金型１０２をスタンパ１０１から離す。この時、成型された２面コーナーリフレクタアレイ光学素子が金型１０２とともにスタンパ１０１から離すことができるようにすることが好ましい。
【００３２】
次に、図５（ｅ）に示すように、成型された２面コーナーリフレクタアレイ光学素子６６を金型１０２から外す。２面コーナーリフレクタアレイ光学素子の金型側の面は平面であるため比較的簡単に取り外すことができる。本実施形態の特徴の１つである切頭角錐台形状筒状体の「抜きテーパー」が役立つからである。ゲート部により形成された樹脂部分を切り落とせば２面コーナーリフレクタアレイ光学素子が完成する。これら離型ステップ中においても、ヒーターＳＨ、ＭＨと冷却装置ＳＣ、ＭＣの温度制御により行うことが好ましい。
【００３３】
ヒーターＳＨ、ＭＨと冷却装置ＳＣ、ＭＣによるスタンパ１０１と金型１０２の温度制御を図６により説明する。
【００３４】
スタンパ１０１と金型１０２のそれぞれのヒーターＳＨ、ＭＨは制御ユニット１０５に接続され、制御ユニット１０５が各ヒーターのオンオフ制御をする。
【００３５】
スタンパ１０１と金型１０２のそれぞれの冷却装置ＳＣ、ＭＣが例えば水冷式の場合、冷却装置ＳＣ、ＭＣの水管が循環器１０６Ｓ、１０６Ｍに接続されている。循環器１０６Ｓ、１０６Ｍは制御ユニット１０５に接続され、制御ユニット１０５が各循環器による水の流量制御をする。
【００３６】
スタンパ１０１と金型１０２のそれぞれの所定位置には、熱電対などの温度センサ１０７Ｓ、１０７Ｍが設けられ、温度センサ１０７Ｓ、１０７Ｍはスタンパ１０１と金型１０２の温度をそれぞれ検出する。
【００３７】
予熱としてスタンパ１０１と金型１０２がヒーターＳＨ、ＭＨにて加熱される時、或いは樹脂１０４がスタンパ１０１と金型１０２による金型キャビティ空間に流れてきた時、両者の温度が上昇する。この温度をスタンパ１０１と金型１０２に装着された温度センサ１０７Ｓ、１０７Ｍが検出し、その信号を制御ユニット１０５が受信し、設定温度より高いと判断した場合、指令により、循環器１０６Ｓ、１０６Ｍを動作させクーラントである水の流量をゼロから循環器１０６Ｓ、１０６Ｍの許容流量までの間で増大させることで温度下降制御ができる。スタンパ１０１と金型１０２の両者の温度は水流の流量増加により低下していく。この低下温度を金型１に装着された温度センサ１０７Ｓ、１０７Ｍが検出し、その信号を制御ユニット１０５が受信し、設定温度より低いと判断した場合、指令により、循環器１０６Ｓ、１０６Ｍを動作させ水流の流量を循環器１０６Ｓ、１０６Ｍの許容流量からゼロまでの間で減少させて温度上昇制御ができる。スタンパ１０１と金型１０２の両者の温度は水流の流量減少により上昇していく。このようにして制御ユニット１０５はスタンパ１０１と金型１０２の温度設定を行う。
【００３８】
ここで、ヒーターと冷却装置をスタンパ１０１と金型１０２のそれぞれに設けた例（図５、図６、参照）を示したが、この他にも、ヒーターＳＨと冷却装置ＳＣをスタンパ１０１の側にだけ設けた例（図７、参照）や、スタンパ１０１の側にヒーターＳＨと冷却装置ＳＣを設け金型１０２の側にだけ冷却装置ＭＣを設けた例（図８、参照）など様々な形態を取ることが可能である。実験の結果、図６および図８に示すスタンパ１０１と金型１０２に少なくとも冷却装置を備える制御形態が好適であることが分かった。
【００３９】
また、スタンパ１０１の厚さがヒーターや冷却装置を組み込むには足りず薄い場合には、スタンパ１０１に密着した補助金型１０１ａを作成し補助金型１０１ａの内部にヒーターＳＨと冷却装置ＳＣを組み込んでもよい（図９、参照）。
【００４０】
上記所定スタンパ１０１は、ダイヤバイトによる切削加工と電鋳反転加工により作製できる。以下にその手順を示す。
【００４１】
まず、図１０に示すように、片側は垂直面に対応して、もう片側は筒状体の傾斜面に対応した角度を有するダイヤバイト（切削のための刃）を準備する。
【００４２】
次に、例えば正方形の銅マスター板に図１０のダイヤバイトにより２面コーナーリフレクタアレイ光学素子の反転パターンになるように切削加工を施す。具体的には、正方形の銅マスター板の一辺に平行な水平溝を所定のピッチで複数順番に切削して行き、次に、先に切削した溝に対して直角方向に、やはり所定ピッチで複数の垂直溝を順番に切削して行く。上記の図３に示す断面形状を作製するのに、１本の溝に対して１回当たり５μｍずつの切削を繰り返すことにより１７０μｍの深さに達するまで切削後、次の溝の位置まで所定ピッチでダイヤバイトを移動させる動作を繰り返した。切削加工後の銅マスター板断面における部分拡大断面図は図１１のようになる。
【００４３】
次に、切削加工後の銅マスター板を用いてニッケルの電鋳反転加工により、２面コーナーリフレクタアレイ光学素子と同じ筒状体形状を有する銅マスター板の反転パターンを有する成型用のスタンパ１０１を作製できる。図１２に電鋳反転加工で得られたスタンパ１０１の部分拡大断面図を示す。
【実施例】
【００４４】
上記図５に示した実施形態に従って作製された２面コーナーリフレクタアレイ光学素子の形状を拡大観察した結果を図１３（ａ）と図１３（ｂ）に示す。図１３（ｂ）は図１３（ａ）をさらに拡大したものであり、一つの筒状体を拡大観察したものである。スタンパの形状を再現良く転写できているため、２面コーナーリフレクタアレイ光学素子の頂点部分（図１３（ｂ）に示す矢印Ｐが示す部分）の形状（尖がり具合）がシャープに仕上がっていることが判る。実際に実施例で作製した２面コーナーリフレクタアレイ光学素子を用いて像を結像したところ椅麗な像として観察された。
【００４５】
比較例として通常の射出成形方法により２面コーナーリフレクタアレイ光学素子を作製した場合を、図１４を用いて示す。ヒーターと冷却装置を用いないことを除けば図５に示した前記実施例と基本構成は同じである。
【００４６】
図１４（ａ）に示すように、スタンパ１０１と金型１０２を。密着させた状態で、使用する樹脂の軟化温度以上（アクリル樹脂を使用する場合は例えば２００℃）に加熱しておく。
【００４７】
図１４（ｂ）に示すように、ゲート部より溶融した樹脂１０４を金型内に高圧にて充填する。
【００４８】
図１４（ｃ）に示すように、樹脂の充填終了後、スタンパ１０１と金型１０２を密着させたまま樹脂１０４の軟化温度以下（アクリル樹脂を使用する場合は例えば８０℃）まで冷却する。
【００４９】
図１４（ｄ）に示すように、金型１０２をスタンパ１０１から離す。この時、成型された光学素子が金型１０２とともにスタンパ１０１から離すことができるようにすることが好ましい。
【００５０】
図１４（ｅ）に示すように、成型された光学素子を金型１０２から外す。光学素子の金型側の面は平面であるため比較的簡単に取り外すことができる。ゲート部により形成された樹脂部分を切り落とせば光学素子が完成する。
【００５１】
図１４に示す比較例に従って作製された２面フーナーリフレクタアレイ光学素子の形状を拡大観察した結果を図１５（ａ）と図１５（ｂ）に示す。図１５（ｂ）は図１５（ａ）をさらに拡大したものであり、一つの筒状体を拡大観察したものである。転写性が悪くスタンパ１０１の形状を再現し切れていないこと、特に、２面コーナーリフレクタアレイ光学素子の頂点部分（図１５（ｂ）に示す矢印Ｐが示す部分）の形状（尖がり具合）のシャープさが不足していることが判る。実際に比較例で作製した２面コーナーリフレクタアレイ光学素子を用いて像を結像したところ、甚だぼやけた像しか観察されなかった。
【００５２】
本発明によれば、図１６（ａ）に示すように、薄い平板状の基盤６０に、平面視ほぼ切頭角錐台（例えば正方形底面）であって、その接合平面（底面）乃至天面すなわち端面の間を光線が屈曲して通過する透明な筒状体５１（一辺が例えば５０〜２００μｍ）を多数形成し、各筒状体５１のうち隣接して直交する２つの内壁面６１ａ，６１ｂを２面コーナーリフレクタ６１とする２面コーナーリフレクタアレイ光学素子６６を得ることができる。なお、２面コーナーリフレクタ６１を構成しないテーパー部分には、つや消しなど反射不能な面とすることができる。また、各２面コーナーリフレクタ６１は、基盤６０上において鏡面６１ａ，６１ｂがなす内角が全て同じ向きとなるように、規則的な格子点上に整列させて形成することが好ましい。よって、図１６（ｂ）に示すように、各２面コーナーリフレクタでは、２つの直交する鏡面の交線ＣＬが素子面６Ｓに直交することが好ましい。この鏡面６１ａ，６１ｂの内角の向きを、２面コーナーリフレクタ６１の向き（方向）と称する。また、２面コーナーリフレクタとして機能する各筒状体５１の側面（内壁面６１ａ，６１ｂの部分）に金属反射膜をさらに付けることで、反射効率が向上する。
【００５３】
本発明の表示装置は、図１７に模式的に示すように、２面コーナーリフレクタアレイ光学素子と基盤の一方の主面側にある被観察物４とを含み、被観察物の実像５（実鏡映像）を基盤の他方側の空間に結像させる。２面コーナーリフレクタアレイ光学素子６６は、２つの相互に直交する鏡面６１ａ，６１ｂから構成される２面コーナーリフレクタ６１の多数の集合であり、全２面コーナーリフレクタ６１を構成するそれぞれ２つの鏡面６１ａ，６１ｂに対してほぼ垂直な平面を素子面６Ｓとし、この素子面６Ｓを対称面とする面対称位置に被観察物２の実鏡映像５を結像させることができるものである。なお、本実施形態において２面コーナーリフレクタ６１は２面コーナーリフレクタアレイ光学素子６６の全体の大きさ（ｃｍオーダ）と比べて非常に微小（μｍオーダ）であるので、図１７では２面コーナーリフレクタ６１の集合全体をグレーで表し、その内角の向きをＶ字形状で表してある。
【００５４】
本発明では２面コーナーリフレクタアレイ光学素子６６は、突出した筒状体の側面のうち本発明の特徴である傾斜した面以外の基盤に垂直な面として設けられている（図１７の６１ａ，６１ｂ）。
【００５５】
そして、２面コーナーリフレクタアレイ光学素子６６では、各２面コーナーリフレクタ６１は、２面コーナーリフレクタアレイ光学素子の裏面側（被観察物４）から、突出した筒状体に入った光を一方の鏡面６１ａ（または６１ｂ）で反射させ、さらにその反射光を他方の鏡面６１ｂ（または６１ａ）で反射させて表面側へと通過させる機能を有し、この光の進入経路と射出経路とが素子面６Ｓを挟んで面対称をなすこととなる。すなわち、２面コーナーリフレクタアレイ光学素子６６の素子面６Ｓ（各鏡面の高さ方向中央部を通り且つ各鏡面と直交する面を仮定）は、被観察物４の実像（実鏡映像）を、面対称位置に空中像（実鏡映像）５として結像させる対称面となる。
【００５６】
ここで、２面コーナーリフレクタアレイ光学素子６６による結像様式について、被観察物として点光源ｏから発せられた光の経路とともに簡単に説明する。図１８に平面的な模式図で、図１９に模式的な側面図でそれぞれ示すように、点光源ｏから発せられる光（一点鎖線矢印で示す。図１８において３次元的には紙面奥側から紙面手前側へ進行する）は、２面コーナーリフレクタアレイ光学素子６６を通過する際に、２面コーナーリフレクタ６１を構成する一方の鏡面６１ａ（または６１ｂ）で反射して更に他方の鏡面６１ｂ（または６１ａ）で反射した後に素子面６Ｓを通過し、２面コーナーリフレクタアレイ光学素子６６の素子面６Ｓに対して点光源ｏの面対称位置を広がりながら通過する。図１８では入射光と反射光とが平行をなすように表されているが、これは同図では点光源ｏに対して２面コーナーリフレクタ６１を誇張して大きく記載しているためであり、実際には各２面コーナーリフレクタ６１は極めて微小なものであるため、同図のように２面コーナーリフレクタアレイ光学素子６６を上方から見た場合には、入射光と反射光とは殆ど重なってみえる（図１８では２面コーナーリフレクタ６１の２つの鏡面（６１ａ，６１ｂ）それぞれに最初に当たる光の経路、つまり２本の経路を描いて説明しているが、図１９では煩雑さを避けるためにどちらか一方の鏡面に最初に当たる光のみを描いている）。すなわち、結局は点光源ｏの素子面６Ｓに対する面対称位置に透過光が集まり、図１８、図１９においてｐの位置に実鏡映像として結像することになる。
【００５７】
このように２面コーナーリフレクタは反射鏡として働くため、樹脂成型品の突出した筒状体の側面のうちの２面コーナーリフレクタとして働く基盤に垂直な面には、例えば金属膜などの反射面を付けることが好ましいが、発明者は樹脂成型品だけ、つまり反射面を追加加工しなくても、樹脂と空気界面の屈折率差によって十分な反射が得られるため実用上問題ない明るさの実鏡映像を空中に結像させることができることを発見した。
【００５８】
反射面を設けることなく樹脂成型品のみの２面コーナーリフレクタアレイ光学素子を利用して、空中に被観察物の実像（実鏡映像）を結像させて見ることができるので低コストで表示装置を作製することができる。
【符号の説明】
【００５９】
４  被観察物
５  空中映像（実鏡映像）
６Ｓ  素子面（対称面）
５１  筒状体
５２  接合平面
５３  端面
６０  基盤
６１  ２面コーナーリフレクタ
６１ａ、６１ｂ  鏡面（側面）
６２ａ、６２ｂ  ２面コーナーリフレクタ以外の側面（テーパー面）
６６  ２面コーナーリフレクタアレイ光学素子
１０１、２０１  スタンパ
１０２、２０２  金型
１０３  金型ゲート部
１０４  樹脂
１０５  制御ユニット
１０６Ｓ、１０６Ｍ  循環器
１０７Ｓ、１０７Ｍ  温度センサ
ＣＬ  鏡面の交線
Ｃ  立方体形状部
ＳＨ、ＭＨ  ヒーター
ＳＣ、ＭＣ  冷却装置
Ｔ  テーパー部
【図１】
2012045871.tif 000003
【図２】
2012045871.tif 000004
【図３】
2012045871.tif 000005
【図４】
2012045871.tif 000006
【図５】
2012045871.tif 000007
【図６】
2012045871.tif 000008
【図７】
2012045871.tif 000009
【図８】
2012045871.tif 000010
【図９】
2012045871.tif 000011
【図１０】
2012045871.tif 000012
【図１１】
2012045871.tif 000013
【図１２】
2012045871.tif 000014
【図１３】
2012045871.tif 000015
【図１４】
2012045871.tif 000016
【図１５】
2012045871.tif 000017
【図１６】
2012045871.tif 000018
【図１７】
2012045871.tif 000019
【図１８】
2012045871.tif 000020
【図１９】
2012045871.tif 000021